(57)【要約】【課題】  コネクタの挿入軸方向に対して所定以上の引張力が働いた場合に、光ケーブル用プラグがコネクタから抜けるようにすることでコネクタ嵌合ロック機構の破損を未然に防止できるようにする。【解決手段】  プラグ引き抜き側へ移動可能となるようアダプタ本体１内部にスライド可能に配し、プラグの係止機構７に嵌合するよう先端に繋止爪部５を互いに対向して設けた上下一対の繋止アーム片４ａ、４ｂをアダプタ１開口側へ向けて突設して成る繋止部材２を備えると共に、前記繋止アーム片４ａ、４ｂ先端の繋止爪部５位置と反対側には、アダプタ本体１内部で繋止部材２がプラグ引き抜き側へ移動した際にアダプタ本体１開口側の内壁面に係止して繋止アーム片４ａ、４ｂ自体にプラグロック解除方向の回転モーメントを付与すべく突起部６を備える。【選択図】          図１
2006195227.tif 000002
【特許請求の範囲】
【請求項１】
プラグ引き抜き側へ移動可能となるようコネクタ用のアダプタ内部にスライド可能に配され、プラグの繋止機構に係合させるよう先端に繋止爪部を互いに対向して設けた上下一対の繋止アーム片をアダプタ開口側へ向けて突設して成る繋止部材を備えると共に、前記繋止アーム片先端の繋止爪部位置と反対側には、アダプタ内部で繋止部材がプラグ引き抜き側へ移動した際にアダプタ開口側の内壁面に係止させて繋止アーム片自体にプラグロック解除方向の回転モーメントを付与すべく突起部を備えたことを特徴とする光コネクタのロック解除機構。
【請求項２】
アダプタ開口側の内壁面は、アダプタ内部での繋止部材の移動ストロークに対応して繋止アーム片に対するモーメント力が適宜変更可能となるよう傾斜状となって形成されている請求項１記載の光コネクタのロック解除機構。
【発明の詳細な説明】
【技術分野】
【０００１】
本発明は、例えばＳＣタイプ等の光ケーブル用プラグの光コネクタ用のアダプタ嵌合状態をロックしたり解除したりすることが可能な光コネクタのロック解除機構に関する。
【背景技術】
【０００２】
従来、広く世界中に普及している例えばＳＣタイプ等のコネクタ嵌合ロック機構は、図１３乃至図１５に示すように、光コネクタ用のアダプタ本体１の嵌合穴内において上下一対の繋止アーム片４ａ、４ｂを穴開口側へ向けて突設し、且つこの先端に繋止爪部５を互いに対向するように設けると共に、この繋止アーム片４ａ、４ｂに対応して光ケーブル用プラグＱのツマミ部分８に内嵌されたプラグフレーム１０の先端側上下には繋止機構７を設けてある。
【０００３】
そして、光ケーブル用プラグＱを光コネクタに接続するに際し、光ケーブル用プラグＱのツマミ部分８等を手に持って、これをアダプタ本体１の嵌合穴内に強制的に押し込むことで、当該押し込み力により両繋止アーム片４ａ、４ｂを互いに外側に向けて若干撓曲させてから、プラグフレーム１０の先端側にある繋止機構７に繋止爪部５が嵌合することで光コネクタに光ケーブル用プラグＱがロックされる構成となっている。
【０００４】
一方、光ケーブル用プラグＱを光コネクタから取り外すに際し、いったんツマミ部分８を引き抜き方向に移動すると、当該ツマミ部分８の開口部９の両側に設けられたテーパ付凹部９ａによって両繋止アーム片４ａ、４ｂ両側の係止突起４ｃ（図８に示す）を押し上げる。これによって両繋止アーム片４ａ、４ｂの先端がそれぞれ上下方向へ撓曲して両繋止アーム片４ａ、４ｂ先端の各繋止爪部５がプラグフレーム１０先端に設けられた繋止機構７から外れロック解除状態となる。したがって、このままツマミ部分８等を引っ張ることで光ケーブル用プラグＱを光コネクタから容易に取り外しすることができる。
【０００５】
而して、アダプタ本体１の嵌合穴から光ケーブル用プラグＱを無理に引っ張ると、両繋止アーム片４ａ、４ｂが互いに外側に向けて撓曲させられながら繋止機構７から繋止爪部５が抜け外れ、コネクタに対して光ケーブル用プラグＱがロック解除される構成となっている。このように、従来のコネクタ嵌合ロック機構は、アダプタ１嵌合穴内において片持ち状態である上下一対の繋止アーム片４ａ、４ｂの先端側は共に自由端となっているのである。
【特許文献１】特になし
【発明の開示】
【発明が解決しようとする課題】
【０００６】
ところで、従来におけるコネクタ嵌合ロック機構は、既述したようにアダプタ本体１の嵌合穴内において片持ち状態である上下一対の繋止アーム片４ａ、４ｂの先端側は共に自由端となっているため、繋止機構７に繋止爪部５が係合している状態から光ケーブル用プラグＱを無理に引き抜こうとすれば、上下一対の繋止アーム片４ａ、４ｂの根元部分等が破損してしまったり、あるいは破損しないまでも引き抜き力に伴う塑性変形の発生によって繋止アーム片４ａ、４ｂ自体の保持力・復元力もかなり弱まってしまったりする等の虞れがある。
【０００７】
また、ＳＣタイプ等のコネクタは主に通信回線に用いられていたため、誤って接触した場合にコネクタから光ケーブル用プラグＱが引き抜けてしまわないような構造とするのが一般的であった。しかし、ＩＴ産業の発展によりパーソナルコンピュータや携帯移動端末等が広く世界中に普及したことから、ＳＣタイプ等のコネクタは光ＬＡＮ回線用プラグとして用いられるようになり、一般の人でも取り扱う機会が増えてきているのが実情である。このように一般の人が取り扱うことを考慮すると、光ケーブル用プラグＱは光ファイバコード部が不慮の行為で引っ張られた場合、壊れることなく引き抜けられるようにする方が良策である。すなわち、個人の作成したデータよりもＬＡＮ回線が即無償で復旧した方が良く、壊れてしまっては修理費や修理時間等を要してしまい一般家庭向きではないという考え方が普及してきている。
【０００８】
そこで、本発明は、叙上のような従来存した諸事情に鑑みなされたもので、コネクタの挿入軸方向に対して所定以上の引張力が光ケーブル用プラグに働いた場合に、当該光ケーブル用プラグがコネクタから抜けるようにすることでコネクタ嵌合ロック機構の破損を未然に防止できると共に、例えばアダプタやレセプタクル等に容易に盛り込むことのできる光コネクタのロック解除機構を提供することを目的とする。
【課題を解決するための手段】
【０００９】
上述した課題を解決するため、本発明にあっては、プラグ引き抜き側へ移動可能となるようコネクタ用のアダプタ内部にスライド可能に配され、プラグの繋止機構に係合させるよう先端に繋止爪部を互いに対向して設けた上下一対の繋止アーム片をアダプタ開口側へ向けて突設して成る繋止部材を備えると共に、前記繋止アーム片先端の繋止爪部位置と反対側には、アダプタ内部で繋止部材がプラグ引き抜き側へ移動した際にアダプタ開口側の内壁面に係止させて繋止アーム片自体にプラグロック解除方向の回転モーメントを付与すべく突起部を備えたものである。
【００１０】
このような構成において、アダプタ開口側の内壁面は、アダプタ内部での繋止部材の移動ストロークに対応して繋止アーム片に対するモーメント力が適宜変更可能となるよう傾斜状となって形成されているものとすることができる。
【００１１】
以上のように構成された本発明に係る光コネクタのロック解除機構にあって、上下一対の繋止アーム片先端の各突起部は、光コードが引っ張られた際に、繋止アーム片を含む繋止部材全体がプラグ引き抜き側へ移動してアダプタ開口側の内壁面に当り、繋止アーム片自体にプラグロック解除方向への回転モーメントが働き、プラグの繋止機構から繋止爪部を離脱させる。
【００１２】
そして、アダプタ開口側に設けられた傾斜状の内壁面は、繋止アーム片に対するモーメント力の調整を可能にさせる。
【発明の効果】
【００１３】
本発明によれば、少なくともコネクタの挿入軸方向に対して所定以上の引張力が光ケーブル用プラグに働いた場合に、当該光ケーブル用プラグがコネクタから抜けるようにすることでコネクタ嵌合ロック機構の破損を未然に防止できると共に、例えばアダプタやレセプタクル等に容易に盛り込むことができる。
【００１４】
すなわち、これは本発明が、プラグ引き抜き側へ移動可能となるようコネクタ用のアダプタ内部にスライド可能に配され、プラグの繋止機構に係合させるよう先端に繋止爪部を互いに対向して設けた上下一対の繋止アーム片をアダプタ開口側へ向けて突設して成る繋止部材を備えると共に、前記繋止アーム片先端の繋止爪部位置と反対側には、アダプタ内部で繋止部材がプラグ引き抜き側へ移動した際にアダプタ開口側の内壁面に係止させて繋止アーム片自体にプラグロック解除方向の回転モーメントを付与すべく突起部を備えたからであり、これにより、所定以上の引張力が光ケーブル用プラグに働いた場合に、繋止アーム片を含む繋止部材全体がプラグ引き抜き側へ移動してアダプタ開口側の内壁面に当るため、繋止アーム片自体にプラグロック解除方向への回転モーメントが働き、プラグの繋止機構から繋止爪部を容易に離脱させることができる。
【００１５】
また、アダプタ開口側の内壁面を、アダプタ内部での繋止部材の移動ストロークに対応して繋止アーム片に対するモーメント力が適宜変更可能となるよう傾斜状となって形成することで、繋止アーム片に対するモーメント力の調整を可能とすることができる。
【発明を実施するための最良の形態】
【００１６】
以下、図面を参照して本発明を実施するための最良の一形態を説明すると、図において示される符号１は、例えばＳＣタイプ等の光ケーブル用プラグＱの光コネクタに対する嵌合状態をロックしたり解除したりすることが可能なロック解除機構Ｐを備えた光コネクタ用のアダプタ本体である。
【００１７】
光ケーブル用プラグＱは、図７に示すように、光ファイバコード先端に連結したフェルールＲがスプリングＳを介して前方へ付勢されつつ収容保持された略矩形筐体状のプラグフレーム１０および該プラグフレーム１０に摺動自在に外嵌されたツマミ部分８とを主要部材にして形成されている。
【００１８】
プラグフレーム１０先端部の上下対称位置には、先部側に繋止用突起７ａと後部側に繋止用凹部７ｂとを備えた繋止機構７がそれぞれ形成されている。また、ツマミ部分８の先端にはプラグフレーム１０の繋止機構７を露出するための略矩形状の開口部９がそれぞれ上下位置に形成されている。そして、各開口部９の両側には、ツマミ部分８の引き抜き方向へのスライドにより既述した両繋止アーム片４ａ、４ｂ両側に設けられた係止突起４ｃが押し上げられ、後述するロック解除機構Ｐの両繋止アーム片４ａ、４ｂのプラグフレーム１０の繋止機構７に対する係止を解除するテーパ付凹部９ａがそれぞれ対称位置に形成されている。したがって、本発明においてもロック解除機構Ｐとは別個にツマミ部分８操作による公知の引き抜き機構が付加されている。
【００１９】
而して、本発明の主要部を構成するアダプタ本体１のロック解除機構Ｐとしては、図１乃至図６に示すように、プラグ引き抜き側へ移動可能となるよう略矩形筐体状のアダプタ本体１内部に移動量を規制する隙間Ｌによってスライド可能に配された略矩形枠状の繋止部材２を備えて構成されている。
【００２０】
この繋止部材２の中央には光ケーブル用プラグＱのプラグフレーム１０先端中心部に設けられたフェルールＲを摺動自在に嵌合させるためのガイド筒３が形成され、また上下位置には帯板状の一対の繋止アーム片４ａ、４ｂがアダプタ本体１開口側へ向けて突設されており、両繋止アーム片４ａ、４ｂそれぞれの先端には、プラグフレーム１０の繋止機構７に係止させるための略クサビ爪状の繋止爪部５が互いに内向きに対向するように設けられている。すなわち、両繋止爪部５は、プラグフレーム１０の繋止機構７における繋止用凹部７ｂに嵌合して繋止用突部７ａによって抜けが阻止された状態を維持するものとなっている。
【００２１】
そして、繋止アーム片４ａ、４ｂ先端の繋止爪部５位置と反対側には略矩形ロッド状の突起部６がそれぞれに付設されており、これら突起部６の略外側半分を、アダプタ本体１の肉厚構造の開口部内壁面１Ａに対向配置するようにしてある。こうすることでアダプタ本体１内部で繋止部材２がプラグ引き抜き側へ移動した際に、当該繋止部材２の突起部６をアダプタ本体１の開口部内壁面１Ａに突き当たって係止させ、繋止アーム片４ａ、４ｂ自体にプラグロック解除方向の回転モーメントが付与され、これによって繋止アーム片４ａ、４ｂが拡開方向に撓曲変形して繋止爪部５が繋止機構７における繋止用凹部７ｂおよび突部７ａから離脱されるようにしてある。
【００２２】
アダプタ本体１の開口部内壁面１Ａは、内側に行くに従って次第に繋止爪部５側に接近するような傾斜状となって形成されており、アダプタ本体１内部での繋止部材２の移動ストロークに対応して繋止アーム片４ａ、４ｂに対するモーメント力が適宜変更可能となるようにしてある。
【００２３】
尚、本形態においては、アダプタ本体１の傾斜状の開口部内壁面１Ａに沿って繋止爪部５が押し付けられて繋止アーム片４ａ、４ｂが拡開湾曲されるものとしてあるが、繋止アーム片４ａ、４ｂの根元位置に対する繋止爪部５の押される位置の同軸線上からのずれ量を大きくすることで、開口部内壁面１Ａに沿って繋止爪部５が押し付けられた際には繋止アーム片４ａ、４ｂにプラグロック解除方向への回転モーメントが自動的に働くものとなるため、必ずしも傾斜状にする必要がなく、開口部内壁面１Ａを垂直状に形成されていても良い。
【００２４】
次に、本構成における使用・動作について説明すると、図９に示すように、光ケーブル用プラグＱを光コネクタのアダプタ本体１に接続するに際し、光ケーブル用プラグＱのツマミ部分８等を手に持って、これをアダプタ本体１内に強制的に押し込むことで、当該押し込み力により両繋止アーム片４ａ、４ｂを互いに拡開方向に撓曲させてから、繋止機構７における繋止用凹部７ｂに繋止爪部５が嵌合することで当該繋止爪部５が突部７ａに係止されアダプタ本体１に光ケーブル用プラグＱがロックされる。このとき繋止部材２は、アダプタ本体１内で隙間Ｌによって離反配置されている。
【００２５】
この状態から光ケーブル用プラグＱが不用意に引っ張られた際には、図１０に示すように、繋止アーム片４ａ、４ｂを含む繋止部材２全体がプラグ引き抜き側へ移動して繋止アーム片４ａ、４ｂ先端の突起部６がアダプタ本体１の開口部内壁面１Ａに突き当り、両繋止アーム片４ａ、４ｂを互いに拡開方向に撓曲させる。
【００２６】
このとき、図１１に示すように、繋止アーム片４ａ、４ｂ自体にプラグロック解除方向への回転モーメントが働き、光ケーブル用プラグＱのプラグフレーム１０に設けられた繋止機構７における繋止用凹部７ｂと繋止用突部７ａから繋止爪部５を離脱させ、図１１に示すように、アダプタ本体１から光ケーブル用プラグＱが抜き出されるのである。
【００２７】
このように所定以上の引張力が光ケーブル用プラグＱに働いた場合には、当該光ケーブル用プラグＱがアダプタ本体１から抜けるようになり、これによってロック解除機構Ｐ自体の破損を未然に防止できる。
【図面の簡単な説明】
【００２８】
【図１】本発明を実施するための最良の形態におけるロック解除機構を示す光コネクタ用アダプタ嵌合状態の断面図である。
【図２】同上において光ケーブル用プラグのツマミ部分を引っ張ってコネクタロックを解除した断面図である。
【図３】同上においてプラグが繋止アーム片から外れて抜き去られる途中の状態の断面図である。
【図４】コネクタ用アダプタのプラグ差し込み口側の正面図である。
【図５】図３中のＸ−Ｘ断面図である。
【図６】図１中のＹ−Ｙ断面図である。
【図７】光ケーブル用プラグの斜視図である。
【図８】光コネクタ用アダプタの斜視図である。
【図９】ロック解除機構の動作を説明するコネクタ用アダプタ嵌合状態の断面図である。
【図１０】同上において光ケーブル用プラグのツマミ部分を引っ張って突起部が内壁面に接触してモーメント力によりコネクタロックを解除する途中の状態の断面図である。
【図１１】同上においてモーメント力によりコネクタロックを解除した状態の断面図である。
【図１２】同上においてプラグが繋止アーム片から外れて抜き去られる途中の状態の断面図である。
【図１３】従来例におけるロック解除機構を示すコネクタ用アダプタ嵌合状態の断面図である。
【図１４】同上において光ケーブル用プラグのツマミ部分を引っ張ってコネクタロックを解除した状態の断面図である。
【図１５】同上においてプラグが繋止アーム片から外れて抜き去られる途中の状態の断面図である。
【符号の説明】
【００２９】
Ｐ          ロック解除機構
Ｑ          光ケーブル用プラグ
Ｒ          フェルール
Ｓ          スプリング
Ｌ          隙間
１          アダプタ本体
１Ａ        開口部内壁面
２          繋止部材
３          ガイド筒
４ａ、４ｂ  繋止アーム片
４ｃ        係止突起
５          繋止爪部
６          突起部
７          繋止機構
７ａ        繋止用突部
７ｂ        繋止用凹部
８          ツマミ部分
９          開口部
９ａ        テーパ付凹部
１０        プラグフレーム
【図１】
2006195227.tif 000003
【図２】
2006195227.tif 000004
【図３】
2006195227.tif 000005
【図４】
2006195227.tif 000006
【図５】
2006195227.tif 000007
【図６】
2006195227.tif 000008
【図７】
2006195227.tif 000009
【図８】
2006195227.tif 000010
【図９】
2006195227.tif 000011
【図１０】
2006195227.tif 000012
【図１１】
2006195227.tif 000013
【図１２】
2006195227.tif 000014
【図１３】
2006195227.tif 000015
【図１４】
2006195227.tif 000016
【図１５】
2006195227.tif 000017